(57)【特許請求の範囲】
【請求項１】
マグネットを含む磁気回路が設けられたベース部材と、対物レンズを保持するレンズホルダと、前記対物レンズを弾性的に支持する複数本の導電性のワイヤと、これらワイヤの固定端側が接続されると共に前記ベース部材に支持された横長形状の背面基板と、前記対物レンズを介してディスク状記録媒体に光ビームを照射する光源を含む受発光ユニットと、この受発光ユニットおよび前記ベース部材を担持してディスク状記録媒体の半径方向へ移送されるシャーシと、前記背面基板と外部回路との間を導通するフレキシブル配線基板とを備え、前記フレキシブル配線基板が前記背面基板に接続された第１帯状部と前記受発光ユニットに接続された第２帯状部とを有する光学式ピックアップにおいて、
前記フレキシブル配線基板の前記第１帯状部が、前記背面基板との接続箇所から側端部に向かって延伸する先部と、この先部に連続して略直角に折り曲げられた曲げ部と、この曲げ部から前記ベース部材の一側面に沿って斜め上方へ延伸する傾斜部とを有しており、この傾斜部から前記曲げ部の逆側へ延伸する部分を前記第２帯状部に連続させると共に、前記傾斜部を前記ベース部材の一側面と前記シャーシの外壁部との間の空隙に配置させて、その上端部分を該シャーシの外壁部から上方へ露出させたことを特徴とする光学式ピックアップ。
【請求項２】
請求項１の記載において、前記シャーシの内底面に前記曲げ部とその隣接箇所の下端部分を収容して位置規制する溝部が設けられていることを特徴とする光学式ピックアップ。
【請求項３】
請求項２の記載において、前記第１帯状部の前記溝部に収容された部分の上端部が前記背面基板の側端部と非接触で対向していることを特徴とする光学式ピックアップ。
【発明の詳細な説明】
【技術分野】
【０００１】
本発明は、ＤＶＤやＣＤ等のディスク状記録媒体に対して情報を記録／再生する光学式ピックアップに係り、特に、フレキシブル配線基板の一部を対物レンズ駆動機構と一緒にシャーシ内に組み付けるようにした光学式ピックアップに関する。
【背景技術】
【０００２】
光学式ピックアップは、ディスク状記録媒体（以下、「ディスク」と略称する）の半径方向へ移送されるシャーシと、このシャーシに担持された受発光ユニットと光学手段および対物レンズ駆動機構と、シャーシから導出されて外部回路に接続されるフレキシブル配線基板（以下、「ＦＰＣ」と略称する）とによって概略構成されている。受発光ユニットには光源（半導体レーザ）と光検出器が一体的に配設されており、レンズアクチュエータと呼称される対物レンズ駆動機構には、対物レンズを保持するレンズホルダと、レンズホルダを弾性的に支持している複数本の導電性のワイヤと、各ワイヤの固定端部が接続された背面基板と、マグネットを含む磁気回路が設けられたベース部材とが具備されている。この背面基板はベース部材に保持されており、ワイヤには対物レンズを駆動するための制御信号がＦＰＣを介して供給される。また、受発光ユニットと対物レンズ間の光路中には光学手段として反射ミラー等が配設されている。
【０００３】
この種の光学式ピックアップでは、通常、光学ベースであるシャーシ内でＦＰＣが第１帯状部と第２帯状部とに分岐されている。第１帯状部は背面基板に接続されており、この第１帯状部を介してワイヤに制御信号が供給されると、対物レンズがフォーカス方向やトラッキング方向へ駆動（フォーカス補正やトラッキング補正）されるようになっている。一方、第２帯状部は受発光ユニットに接続されており、この第２帯状部を介して受発光ユニットに電源信号や制御信号が供給されると共に、光検出器が検出した信号が第２帯状部を介してセット側の信号処理回路へ送出されるようになっている。ＦＰＣはシャーシの外方へ導出された長尺な主部を有しており、この主部の先端部分がセット側の外部駆動回路や信号処理回路等にコネクタ接続される部位となる。そして、主部から分岐した第１帯状部と第２帯状部のうち、第２帯状部は受発光ユニットの存するシャーシの一端側に組み付けられ、第１帯状部はシャーシの他端側へ引き回されて略直角に折り曲げられた後、背面基板に接続される（例えば、特許文献１参照）。
【先行技術文献】
【特許文献】
【０００４】
【特許文献１】特開平９−３２００６０号公報
【発明の概要】
【発明が解決しようとする課題】
【０００５】
ところで、上述した構成の光学式ピックアップを組み立てる際には、対物レンズ駆動機構（レンズアクチュエータ）の構成部材である背面基板の中央部にＦＰＣの第１帯状部の先端部分を接続した後、この状態で対物レンズ駆動機構と第１帯状部をシャーシ内の所定位置に組み込むようにしている。その際、ＦＰＣの第２帯状部は予め受発光ユニットに接続されてシャーシの一端側に拘束された状態となっているため、ＦＰＣの第１帯状部は先端側（背面基板側）と基端側（第２帯状部側）の両方が拘束部位となっている。したがって、対物レンズ駆動機構をシャーシ内へ組み込む際には、第１帯状部の両拘束部位の中間付近に延在する動きやすい部位（変位容易部位）の組み付け位置に配慮しつつ作業を行う必要があり、こうして組み込んでからベース部材をシャーシにねじ止め固定する。しかる後、シャーシに対する対物レンズの光軸の傾きを調整（スキュー調整）して光学式ピックアップの組立作業が完了する。
【０００６】
しかしながら、対物レンズ駆動機構をシャーシ内へ組み込む作業時に、ＦＰＣの第１帯状部の中間付近に延在する変位容易部位がふらついて対物レンズ駆動機構の下方へ潜り込みやすいため、第１帯状部の一部が対物レンズ駆動機構の底面部（ベース部材の底面等）とシャーシの内底部との間に挟持されたまま光学式ピックアップが組み立てられてしまうことがある。その場合、スキュー調整等でベース部材の姿勢が変更されたときに、ＦＰＣの第１帯状部が強く加圧されて断線に至る可能性が高まるため、製品の信頼性が低下してしまう。また、対物レンズ駆動機構をシャーシ内に組み込むと、ＦＰＣの第１帯状部はシャーシの外壁部に覆われて外部から見えなくなるため、第１帯状部が正しく組み付けられているか否かを目視で確認することも困難であった。
【０００７】
なお、特許文献１に開示された光学式ピックアップでは、ＦＰＣの第１帯状部の大部分をシャーシの外側へ引き回しているため、シャーシ内で第１帯状部の組み付け不良が発生する可能性は低くなっているが、その反面、シャーシの外側で第１帯状部にたるみが生じて外部機器等と干渉しやすくなり、第１帯状部のたるみを低減するための追加措置も必要となる。
【０００８】
本発明は、このような従来技術の実情に鑑みてなされたもので、その目的は、対物レンズ駆動機構をシャーシ内へ組み込む際に懸念されるＦＰＣの組み付け不良を確実に防止できる光学式ピックアップを提供することにある。
【課題を解決するための手段】
【０００９】
上記の目的を達成するために、本発明は、マグネットを含む磁気回路が設けられたベース部材と、対物レンズを保持するレンズホルダと、前記対物レンズを弾性的に支持する複数本の導電性のワイヤと、これらワイヤの固定端側が接続されると共に前記ベース部材に支持された横長形状の背面基板と、前記対物レンズを介してディスク状記録媒体に光ビームを照射する光源を含む受発光ユニットと、この受発光ユニットおよび前記ベース部材を担持してディスク状記録媒体の半径方向へ移送されるシャーシと、前記背面基板と外部回路との間を導通するフレキシブル配線基板とを備え、前記フレキシブル配線基板が前記背面基板に接続された第１帯状部と前記受発光ユニットに接続された第２帯状部とを有する光学式ピックアップにおいて、前記フレキシブル配線基板の前記第１帯状部が、前記背面基板との接続箇所から側端部に向かって延伸する先部と、この先部に連続して略直角に折り曲げられた曲げ部と、この曲げ部から前記ベース部材の一側面に沿って斜め上方へ延伸する傾斜部とを有しており、この傾斜部から前記曲げ部の逆側へ延伸する部分を前記第２帯状部に連続させると共に、前記傾斜部を前記ベース部材の一側面と前記シャーシの外壁部との間の空隙に配置させて、その上端部分を該シャーシの外壁部から上方へ露出させる構成とした。
【００１０】
このように構成された光学式ピックアップでは、ＦＰＣの第１帯状部の曲げ部付近（曲げ部とその隣接箇所）が自由に動きやすい変位容易部位となるが、ベース部材やレンズホルダや背面基板等を含む対物レンズ駆動機構を第１帯状部と一緒にシャーシ内へ組み込む際に、この変位容易部位のうち、傾斜部側はベース部材の一側面とシャーシの外壁部との間に配置させて位置規制することができる。また、第１帯状部の傾斜部は曲げ部からベース部材の一側面に沿って斜め上方へ延伸しているため、この変位容易部位は、対物レンズ駆動機構の下方へ潜り込める下端部分が比較的小さくなっている。したがって、対物レンズ駆動機構を第１帯状部と一緒にシャーシ内へ組み込む際に、第１帯状部の変位容易部位がふらついて対物レンズ駆動機構の下方へ潜り込んでしまう可能性は低い。また、この第１帯状部は大部分をシャーシ内で引き回せるため、たるみを抑制できて外部機器等との干渉も回避できる。さらに、第１帯状部が正しくシャーシ内へ組み付けられると、傾斜部の上端部分がシャーシの外壁部越しに露出するようにしてあるため、対物レンズ駆動機構と一緒に第１帯状部をシャーシ内へ組み込んだときに、傾斜部の上端部分の露出位置を確認することによって、第１帯状部が正しく組み付けられているか否かを目視で容易に判定できる。つまり、第１帯状部の変位容易部位の下端部分が対物レンズ駆動機構の下方へ万一潜り込んでしまった場合は、傾斜部の上端部分が所定位置に露出しなくなるため、第１帯状部の組み付け不良が瞬時に判明され、よって組み込み作業を速やかにやり直すことができる。
【００１１】
上記の構成において、シャーシの内底面にＦＰＣの第１帯状部の変位容易部位（曲げ部とその隣接箇所）の下端部分を収容して位置規制する溝部が設けられていると、対物レンズ駆動機構と一緒に第１帯状部をシャーシ内へ組み込む際に、溝部によって該変位容易部位のふらつきを一層確実に抑制できるため、第１帯状部の組み付け不良を防止する効果が高まる。この場合において、第１帯状部の溝部に収容された部分の上端部が背面基板の側端部と非接触で対向していると、背面基板の側端部がワイヤの軸線方向へ撓んでも第１帯状部と干渉する虞がなくなるため好ましい。
【発明の効果】
【００１２】
本発明の光学式ピックアップは、ＦＰＣの第１帯状部を対物レンズ駆動機構と一緒にシャーシ内へ組み込む際に、第１帯状部の変位容易部位（曲げ部とその隣接箇所）のうち、傾斜部側をベース部材の一側面とシャーシの外壁部との間に配置させて位置規制することができ、しかも、この変位容易部位は対物レンズ駆動機構の下方へ潜り込める下端部分が比較的小さくなっているため、第１帯状部の変位容易部位がふらついて対物レンズ駆動機構の下方へ潜り込んでしまう可能性は低い。また、第１帯状部はその大部分をシャーシ内で引き回せるため、たるみを抑制できて外部機器等との干渉も回避できる。また、傾斜部の上端部分の露出位置を確認することによって、第１帯状部が正しく組み付けられているか否かを目視で容易に判定できるため、仮に第１帯状部の組み付け不良が発生したとしても速やかに作業をやり直すことができる。それゆえ、この光学式ピックアップは、ＦＰＣの第１帯状部の組み付け不良を確実に防止できて信頼性が高く、組立性も良好である。
【図面の簡単な説明】
【００１３】
【図１】本発明の実施形態例に係る光学式ピックアップの斜視図である。
【図２】該光学式ピックアップを図１の奥側から見た斜視図である。
【図３】該光学式ピックアップの平面図である。
【図４】該光学式ピックアップの側面図である。
【図５】該光学式ピックアップの底面図である。
【図６】該光学式ピックアップの分解斜視図である。
【図７】該光学式ピックアップに備えられるシャーシの平面図である。
【図８】該光学式ピックアップの内部構造を示す斜視図である。
【図９】図８に対応する側面図である。
【図１０】図８の右側方から見た外観図である。
【図１１】図８に対応する背面図である。
【図１２】図１０と図１１に対応する要部斜視図である。
【図１３】該光学式ピックアップに備えられるレンズアクチュエータの斜視図である。
【図１４】該レンズアクチュエータの平面図である。
【図１５】該レンズアクチュエータの側面図である。
【図１６】該レンズアクチュエータの背面図である。
【図１７】該レンズアクチュエータの分解斜視図である。
【図１８】該レンズアクチュエータの構成要素であるベース部材の斜視図である。
【図１９】該ベース部材の平面図である。
【図２０】該ベース部材の右側面図である。
【図２１】該ベース部材の左側面図である。
【図２２】該ベース部材の背面図である。
【図２３】該ベース部材の展開図である。
【図２４】図２３に対応する平面図である。
【発明を実施するための形態】
【００１４】
発明の実施の形態について図面を参照して説明する。図１〜図６は本発明の実施形態例に係る光学式ピックアップの全体を示している。
【００１５】
これらの図に示す光学式ピックアップ１は、樹脂成形品であるシャーシ２と、このシャーシ２に担持された受発光ユニット３やレンズアクチュエータ４や反射ミラー１７（図６参照）等と、シャーシ２から導出されて外部回路に接続されるＦＰＣ（フレキシブル配線基板）５とによって概略構成されている。対物レンズ駆動機構であるレンズアクチュエータ４は、マグネット１０を含む磁気回路が設けられたベース部材６と、対物レンズ８を保持するレンズホルダ７と、一端部（自由端部）がレンズホルダ７を弾性的に支持している４本の導電性のワイヤ９と、各ワイヤ９の他端部（固定端部）が半田付けされた横長形状の背面基板１１とを備えている。また、ＦＰＣ５はシャーシ２外に導出された長尺で幅広な主部５０を有しており、この主部５０がシャーシ２内で第１帯状部５１と第２帯状部５２とに分岐されている。これら両帯状部５１，５２のうち、第１帯状部５１は背面基板１１に接続され、第２帯状部５２は受発光ユニット３に接続されている。
【００１６】
なお、受発光ユニット３には光源（半導体レーザ）と光検出器が一体的に設けられている。また、反射ミラー１７等の光学手段は、受発光ユニット３と対物レンズ８間の光路中に配設されている。
【００１７】
シャーシ２は、図示せぬガイド主軸が挿通される第１ガイド部２１と、図示せぬガイド副軸に弾接状態で係合する第２ガイド部２２とを有しており、これらガイド主軸とガイド副軸に案内されながらディスクの半径方向へ移送されるようになっている。このシャーシ２内には、第１ガイド部２１が突設されている一方側の端部にレンズアクチュエータ４の背面基板１１が設置され、第２ガイド部２２が突設されている他方側の端部に受発光ユニット３が設置されている。また、シャーシ２の他方側の端部には金属薄板からなる押え板１５が取着されており、この押え板１５を受発光ユニット３に圧接させることによって、受発光ユニット３に対する放熱効果が高められている。なお、図８〜図１２は、光学式ピックアップ１からシャーシ２や押え板１５を省略した状態の外観図である。
【００１８】
図７の平面図に示すように、シャーシ２には上部を開放する収納空間２３が設けられており、この収納空間２３に組み込まれたレンズアクチュエータ４のベース部材６がシャーシ２にねじ止め固定されている。また、シャーシ２の内底部には収納空間２３の一隅に沿って平面視Ｌ字状に延びる溝部２４が設けられており、図９の２点鎖線で示すように、この溝部２４にＦＰＣ５の第１帯状部５１の下端部を挿入（収容）することによって、組立時に懸念される第１帯状部５１の組み付け不良が回避されるようになっている。溝部２４の一端側はシャーシ２の一側壁（外壁部）２５に沿って延びており、この一側壁２５は溝部２４の近傍においてＦＰＣ５の第１帯状部５１を露出させうる高さ寸法に設定されている（図４参照）。
【００１９】
図１３〜図１７はレンズアクチュエータ４を示しており、図１８〜図２２はレンズアクチュエータ４の構成要素であるベース部材６を示している。ベース部材６は磁性材料からなる板金製の一体部品であり、図２３と図２４に示す展開形状の金属板１６を折曲加工して形成される。このベース部材６には、レンズホルダ７を配置させるホルダ収納部６ａが画成されていると共に、２本の調整ねじ１３（図１〜図６参照）を用いてシャーシ２に固定される一対の取付片６０と、背面基板１１の長手方向の中央部を接着固定する第１折曲片６１と、ワイヤ９を挿通させる透孔６２ａを有する一対の第２折曲片６２とが設けられている。また、このベース部材６には、一対の第２折曲片６２の近傍にそれぞれ第３折曲片６３と第４折曲片６４が設けられていると共に、ホルダ収納部６ａの上方の四隅に第５折曲片６５が設けられている。なお、図２３と図２４の展開図において、図１８〜図２２と対応する部分には括弧付きで同一符号を付してある。
【００２０】
ベース部材６の第１折曲片６１と第２折曲片６２および第３折曲片６３は上向きに折曲された起立片であり、取付片６０と第４折曲片６４および第５折曲片６５は横向きに折曲された突出片である。そして、一対の取付片６０に螺着した各調整ねじ１３を適宜回転すことにより、シャーシ２に対するベース部材６の姿勢が変化して対物レンズ８の光軸の傾き調整（スキュー調整）を行えるようになっている。
【００２１】
一対の第２折曲片６２にはそれぞれ上下一対の透孔６２ａが形成されており、図１２と図１３に示すように、各透孔６２ａ内にはワイヤ９を挿通した状態で緩衝用ゲル剤１２が充填される（図１や図２、図８、図１０等では緩衝用ゲル剤１２を図示省略）。具体的には、未硬化のゲル剤を透孔６２ａに注入して充填させた後、このゲル剤にＵＶ光を照射して硬化させるという充填硬化作業を行って緩衝用ゲル剤１２となしている。そして、この緩衝用ゲル剤１２が透孔６２ａ内のワイヤ９に対してダンパー効果を及ぼすため、レンズホルダ７の動きを阻害しないように各ワイヤ９を弾性変形させることができる。なお、背面基板１１の長手方向の中央部を第１折曲片６１に固定すると、この背面基板１１の両側端部（長手方向の両端部）がそれぞれ第２折曲片６２と所定間隔を存して対向するようになっているため、ワイヤ９の固定端部に近接し過ぎない箇所で効果的にダンピングを行うことができる。また、緩衝用ゲル剤１２の充填硬化作業を行なう場合に、ゾル状態のゲル剤をその表面張力を利用して透孔６２ａ内に容易に充填させることができると共に、このゲル剤の透孔６２ａ内における基準面の位置も安定させることができ、しかも、透孔６２ａと背面基板１１との間のスペースを有効利用してＵＶ光を効率良く照射させることができる。
【００２２】
一対の第３折曲片６３は透孔６２ａに挿通されたワイヤ９と干渉しない位置で第２折曲片６２と対向しており、ベース部材６を側方から見ると、第３折曲片６３は第２折曲片６２と背面基板１１の側端部との間に立設されている。したがって、背面基板１１の長手方向の中央部を第１折曲片６１に固定すると、この背面基板１１の両側端部がそれぞれ第３折曲片６３に近接して対向することになり、背面基板１１の側端部が第２折曲片６２側へ押し撓められたとても、該側端部がすぐに第３折曲片６３に当接して位置規制されるようになっている。つまり、これら一対の第３折曲片６３は、背面基板１１の両側端部（自由端）がワイヤ９のスラスト方向（軸線方向）へ過度に撓まないように規制するためのものである。
【００２３】
一対の第４折曲片６４は第２折曲片６２の上部から近傍の第３折曲片６３を覆うように横向きに延びており、第２折曲片６２と背面基板１１との間に延在するワイヤ９は各第４折曲片６４の下方空間内に位置している。つまり、各ワイヤ９の固定端側が第２折曲片６２と背面基板１１との間の空所に遮蔽されることなく露出していると、組立作業時などに誤ってワイヤ９を塑性変形させてしまう危険性があるため、これら第４折曲片６４によってワイヤ９を保護している。
【００２４】
ベース部材６にはホルダ収納部６ａを挟んで対向する一対のヨーク部６ｂが立設されており、各ヨーク部６ｂの上部から線対称な位置関係で２片ずつ、計４片の第５折曲片６５が横向きに延びている。これら第５折曲片６５は、光学式ピックアップ１に振動や衝撃が加わってもレンズホルダ７が過度に上昇しないように規制するためのものである。また、各ヨーク部６ｂの対向面にはそれぞれマグネット１０が密着固定されており、このようなヨーク部６ｂから第５折曲片６５が延設されているため、各第５折曲片６５は磁気回路のヨーク体積の増大化にも寄与している。
【００２５】
対物レンズ８はレンズホルダ７の中央部に保持されており、ディスクに対する情報の記録や再生が行われる際に、受発光ユニット３の光源（半導体レーザ）から出射された光ビームが反射ミラー１７等の光学手段を経て対物レンズ８に入射された後、この対物レンズ８で収束されてディスクの信号記録面に照射されるようになっている。また、ディスクの信号記録面で反射された戻り光は、対物レンズ８へ入射された後、前記光学手段を経て受発光ユニット３の光検出器で光電変換されて電気信号が取り出される。
【００２６】
レンズホルダ７には磁気回路の磁束を横切るコイル（フォーカスコイルとトラッキングコイル）１４が取着されており、これらのコイル１４がワイヤ９の一端部（自由端部）に接続されていると共に、ワイヤ９の他端部（固定端部）が背面基板１１に接続されている。そして、この背面基板１１がＦＰＣ５を介して外部駆動回路に接続されるため、所定のワイヤ９を介してフォーカスコイルに通電することにより、対物レンズ８の光軸に沿った方向に電磁力を発生させてその方向へレンズホルダ７を駆動することができ、これにより対物レンズ８のフォーカス補正が可能となる。同様に、別のワイヤ９を介してトラッキングコイルに通電することにより、対物レンズ８の光軸と直交する方向に電磁力を発生させてその方向へレンズホルダ７を駆動することができ、これにより対物レンズ８のトラッキング補正が可能となる。なお、前述したように、透孔６２ａ内のワイヤ９に対して緩衝用ゲル剤１２がダンパー効果を及ぼすため、レンズホルダ７を弾性的に支持している各ワイヤ９は、通電時にレンズホルダ７の動きを阻害しないように弾性変形できる。また、透孔６２ａのトータル数は使用するワイヤ９の本数に対応しており、本実施形態例では４本のワイヤ９に対応して計４つの透孔６２ａが形成されているが、ワイヤ９を６本配設する構成の場合は、各第２折曲片６２にそれぞれ３つの透孔６２ａ（計６つ）を形成すれば良い。
【００２７】
背面基板１１の長手方向の中央部はベース部材６の第１折曲片６１に接着固定され、該中央部にＦＰＣ５の第１帯状部５１が半田付けされている。ただし、背面基板１１には第１折曲片６１に接着されずにベース部材６の下方へ突出する突出部１１ａが形成されており、この突出部１１ａを含む背面基板１１の中央部がＦＰＣ５との接続箇所となっている。また、背面基板１１の両側端部（長手方向の両端部）にはワイヤ９が半田付けされており、これら両側端部はワイヤ９のスラスト方向の動きを阻害しないように撓み変形可能な自由端部となっている。なお、前述したように、背面基板１１の両側端部は、透孔６２ａを有する第２折曲片６２と所定間隔を存して対向していると共に、位置規制用の第３折曲片６３と近接して対向している。
【００２８】
次に、ＦＰＣ５の構成について詳しく説明する。ＦＰＣ５の長尺で幅広な主部５０はシャーシ２の外方へ導出されており、この主部５０の先端部分がセット側の外部回路（外部駆動回路や信号処理回路等）とコネクタ接続される部位となる。主部５０は第１帯状部５１と第２帯状部５２とに分岐しており、そのうち第１帯状部５１は、シャーシ２内でベース部材６の一側面６ｃに沿って引き回されて略直角に折り曲げられた後、背面基板１１の自由端側の下方から突出部１１ａを経て中央部に接続されている。一方、第２帯状部５２はシャーシ２の上面に沿って引き回された後、下方へ折り曲げられて受発光ユニット３に接続されているが、図８に示すように、この第２帯状部５２は受発光ユニット３と一緒にシャーシ２に組み付けられて半固定状態となっている。
【００２９】
図８〜図１２に示すように、ＦＰＣ５の第１帯状部５１は、背面基板１１との接続箇所である突出部１１ａから該背面基板１１の下方を通って側端部へ延伸する先部５１ａと、この先部５１ａに連続して略直角に折り曲げられた曲げ部５１ｂと、この曲げ部５１ｂからベース部材６の一側面６ｃに沿って斜め上方へ延伸する傾斜部５１ｃとを有しており、傾斜部５１ｃから曲げ部５１ｂの逆側へ延伸する部分を第２帯状部５２に連続させている。この第１帯状部５１は、先部５１ａを背面基板１１の中央部に半田付けした状態で、レンズアクチュエータ４と一緒にシャーシ２内へ組み込まれる。その際、第１帯状部５１の傾斜部５１ｃはベース部材６の一側面６ｃとシャーシ２の一側壁２５との間の空隙に配置されるが、こうしてシャーシ２内に第１帯状部５１を組み付けると、傾斜部５１ｃの上端部分がシャーシ２の一側壁２５よりも上方に位置して光学式ピックアップ１の側方に露出するようになっている（図４参照）。
【００３０】
この光学式ピックアップ１では、対物レンズ８をフォーカス方向やトラッキング方向へ駆動（フォーカス補正やトラッキング補正）するための制御信号がＦＰＣ５の第１帯状部５１を介してワイヤ９に供給されるようになっている。また、ＦＰＣ５の第２帯状部５２を介して受発光ユニット３に電源信号や制御信号が供給されると共に、光検出器が検出した信号（電気信号）が第２帯状部５２を介してセット側の信号処理回路へ送出されるようになっている。
【００３１】
次に、レンズアクチュエータ４をシャーシ２内へ組み込む作業について説明する。この場合、ＦＰＣ５は予め第１帯状部５１の先端部分を背面基板１１の中央部に接続しておくと共に、第２帯状部５２を受発光ユニット３に接続してシャーシ２に組み付けておき、この状態でレンズアクチュエータ４を第１帯状部５１と一緒にシャーシ２内の所定位置に組み込む。すなわち、レンズアクチュエータ４のベース部材６をシャーシ２の収納空間２３に組み付けると共に、ＦＰＣ５の第１帯状部５１をシャーシ２の内壁面に沿わせて組み付け、しかる後、一対の取付片６０に調整ねじ１３を螺着してベース部材６をシャーシ２に固定する。
【００３２】
より詳しく説明すると、レンズアクチュエータ４をシャーシ２内へ組み込む際には、ベース部材６を収納空間２３に位置合わせして搭載すると共に、ＦＰＣ５の第１帯状部５１をベース部材６の一側面６ｃに巻き掛けるようにしてシャーシ２内へ組み付ける。この第１帯状部５１は、第２帯状部５２に近い基端側はシャーシ２に拘束されているが、基端側と先端側の途中に位置する曲げ部５１ｂ付近（曲げ部５１ｂとその隣接箇所）は自由に動きやすい変位容易部位なので、この変位容易部位を収納空間２３の一隅に沿って延びる溝部２４に挿入することにより、組み込み作業時における該変位容易部位の勝手な動き（ふらつき）を規制するようにしている。なお、第１帯状部５１の変位容易部位と背面基板１１の突出部１１ａはベース部材６の底面から下方へ突出しているが、ベース部材６を収納空間２３に搭載したときに、これら変位容易部位と突出部１１ａの下端部分を溝部２４に挿入することによって、第１帯状部５１の変位容易部位がベース部材６の下面とシャーシ２の内底面との間に挟まれないようになっている。つまり、溝部２４は第１帯状部５１と突出部１１ａの下端部を収容する逃げスペースとして機能するため、ベース部材６を収納空間２３に搭載した後も、第１帯状部５１の変位容易部位は背面基板１１の側端部と重なることなく非接触で対向した状態を維持することになる。また、この組み込み作業時に第１帯状部５１の傾斜部５１ｃはベース部材６の一側面６ｃとシャーシ２の一側壁２５との間に挟まれて位置規制されるが、前述したように、傾斜部５１ｃの上端部分はシャーシ２の一側壁２５よりも高い位置に配置される。
【００３３】
このようにＦＰＣ５の第１帯状部５１の変位容易部位（曲げ部５１ｂとその隣接箇所）を位置規制してふらつきを抑制しつつ、レンズアクチュエータ４と一緒に第１帯状部５１をシャーシ２内へ組み込むと、第１帯状部５１の変位容易部位がベース部材６の下方へ潜り込む可能性が低くなるため、第１帯状部５１がベース部材６とシャーシ２の内底部との間に挟持されてしまうという組み付け不良を回避しやすくなる。なお、第１帯状部５１の変位容易部位がベース部材６の下方へ万一潜り込んでしまった場合には、傾斜部５１ｃの上端部分が所定位置に露出しなくなることで、第１帯状部５１の組み付け不良が瞬時に判明されるため、このような場合は組み込み作業を速やかにやり直すことができる。
【００３４】
以上説明したように、本実施形態に係る光学式ピックアップ１では、ＦＰＣ５の第１帯状部５１の曲げ部５１ｂ付近が自由に動きやすい変位容易部位となるが、レンズアクチュエータ４を第１帯状部５１と一緒にシャーシ２内へ組み込む際に、第１帯状部５１の変位容易部位のうち、曲げ部５１ｂから傾斜部５１ｃに至る部分はベース部材６の一側面６ｃとシャーシ２の一側壁２５との間に配置させて位置規制することができる。また、第１帯状部５１の傾斜部５１ｃは曲げ部５１ｂからベース部材６の一側面６ｃに沿って斜め上方へ延伸しているため、第１帯状部５１の変位容易部位は、レンズアクチュエータ４の下方へ潜り込める下端部分が比較的小さくなっている。したがって、レンズアクチュエータ４をシャーシ２内へ組み込む際に、第１帯状部５１の変位容易部位がふらついてレンズアクチュエータ４の下方へ潜り込んでしまう可能性は低い。また、この第１帯状部５１は大部分をシャーシ２内で引き回せるため、第１帯状部５１のたるみを抑制できて外部機器等との干渉も回避できる。しかも、傾斜部５１ｃの上端部分の露出位置を確認することにより、第１帯状部５１が正しく組み付けられているか否かを目視で容易に判定できるため、第１帯状部５１の組み付け不良が発生した場合は速やかに作業をやり直すことができる。それゆえ、この光学式ピックアップ１は、ＦＰＣ５の第１帯状部５１の組み付け不良を確実に防止でき、信頼性が高く組立性も良好なものとなっている。
【００３５】
また、この光学式ピックアップ１では、シャーシ２の内底面に第１帯状部５１の変位容易部位の下端部分を収容して位置規制する溝部２４が設けられているため、レンズアクチュエータ４と一緒に第１帯状部５１をシャーシ２内へ組み込む際に、変位容易部位のふらつきを一層確実に抑制でき、第１帯状部５１の組み付け不良を防止する効果が高められている。さらに、このような溝部２４を設けることによって、第１帯状部５１の先部５１ａから曲げ部５１ｂに至る部分を背面基板１１の側端部の下方に非接触な状態で配置させやすくなるため、ワイヤ９の弾性変形に伴って背面基板１１の側端部が撓んでも第１帯状部５１と干渉することはなく、信頼性の高い光学式ピックアップ１を実現できる。
【符号の説明】
【００３６】
１  光学式ピックアップ
２  シャーシ
３  受発光ユニット
４  レンズアクチュエータ（対物レンズ駆動機構）
５  ＦＰＣ（フレキシブル配線基板）
６  ベース部材
６ｂ  ヨーク部
６ｃ  一側面
７  レンズホルダ
８  対物レンズ
９  ワイヤ
１０  マグネット
１１  背面基板
１１ａ  突出部
１３  調整ねじ
１４  コイル
１５  押え板
２３  収納空間
２４  溝部
２５  一側壁（外壁部）
５０  主部
５１  第１帯状部
５１ａ  先部
５１ｂ  曲げ部
５１ｃ  傾斜部
５２  第２帯状部
６０  取付片
【図１】
0005793409.tif 000002
【図２】
0005793409.tif 000003
【図３】
0005793409.tif 000004
【図４】
0005793409.tif 000005
【図５】
0005793409.tif 000006
【図６】
0005793409.tif 000007
【図７】
0005793409.tif 000008
【図８】
0005793409.tif 000009
【図９】
0005793409.tif 000010
【図１０】
0005793409.tif 000011
【図１１】
0005793409.tif 000012
【図１２】
0005793409.tif 000013
【図１３】
0005793409.tif 000014
【図１４】
0005793409.tif 000015
【図１５】
0005793409.tif 000016
【図１６】
0005793409.tif 000017
【図１７】
0005793409.tif 000018
【図１８】
0005793409.tif 000019
【図１９】
0005793409.tif 000020
【図２０】
0005793409.tif 000021
【図２１】
0005793409.tif 000022
【図２２】
0005793409.tif 000023
【図２３】
0005793409.tif 000024
【図２４】
0005793409.tif 000025